(57)【要約】    【課題】  乾燥条件下においても感染症病原体の検出を行なえる抗原検出用センサーチップを提供すること。    【解決手段】センサーチップは、基板１とその上に設けられた抗体固定化サイトとを備えてなり、抗体固定化サイトは、基板１上に設けられた金属膜と、その上に設けられた自己組織化膜と、その上に設けられた抗体４、５等とから構成される。抗体４、５等が固定されていない未修飾サイトに、糖類による保水膜８を形成する。【選択図】図２
2008309783.tif 000002
【特許請求の範囲】
【請求項１】
基板と、該基板上に設けられた抗体固定化サイトとを備えてなる抗原検出用センサーチップであって、該抗体固定化サイトは、該基板上に設けられた金属膜と、該金属膜上に設けられた自己組織化膜と、該自己組織化膜上に設けられた抗体とからなり、該抗体固定化サイトには該抗体の立体構造を保持可能ならしめる保水膜が設けられている、抗原検出用センサーチップ。
【請求項２】
前記保水膜には保水性のある糖類が用いられることを特徴とする、請求項１に記載の抗原検出用センサーチップ。
【請求項３】
前記抗体固定化サイトは二以上設けられ、各抗体固定化サイトに固定化された抗体はそれぞれ異なることを特徴とする、請求項１または２に記載の抗原検出用センサーチップ。
【請求項４】
検出対象の抗原は病原体であり、かつウイルス、バクテリアまたは抗原タンパクのいずれかであることを特徴とする、請求項１ないし３のいずれかに記載の抗原検出用センサーチップ。
【請求項５】
検出対象の抗原はインフルエンザウイルスであり、前記抗体はインフルエンザウイルスのヘマグルチニン（ＨＡ）に対する抗体であることを特徴とする、請求項１ないし４のいずれかに記載の抗原検出用センサーチップ。
【請求項６】
請求項１ないし５のいずれかに記載の抗原検出用センサーチップをセット可能な、抗原検出用センサー。
【請求項７】
基板上に抗体固定化サイトを形成して抗原検出用センサーチップを作製する方法であって、該基板上に必要な該抗体固定化サイトの数に基づき金属膜を形成し、その上に自己組織化膜を形成し、その上に予め活性化させた抗体溶液を用いて抗体を固定化し、一方該基板上において該抗体が固定化されていない未修飾サイトに保水性物質による保水膜を設ける、抗原検出用センサーチップの作製方法。
【発明の詳細な説明】
【技術分野】
【０００１】
本発明は、表面プラズモン共鳴角（以下、ＳＰＲという。）検出装置等を使用する際の微小領域におけるセンシングに適した高感度センサーチップ、詳しくは感染症病原体を検知し得る抗体を、金属基板上に固定し、抗原抗体反応によりウイルス、バクテリア、抗原タンパクを検出するのに適した、抗原検出用センサーチップに関するものである。またその作製方法および抗原検出用センサーに関するものである。
【背景技術】
【０００２】
ＳＰＲ法用センサーチップを用いたバイオセンシングについては、多くの提案がなされている。たとえば、後掲特許文献１では、表面プラズモン共鳴法による免疫測定としてマイクロセンシングチップを開発し、高感度の検出法を提案している。
【０００３】
また、センサーチップの作製にあたっては、いかに非特異吸着を制御するかが課題であり、この改善策として自己組織化膜の構造を改良した提案（特許文献２）がある。
【０００４】
【特許文献１】特開２００６−２５０７２０号公報
【特許文献２】特開２００３−１５６４３４号公報
【発明の開示】
【発明が解決しようとする課題】
【０００５】
さて、新興感染症の出現や再興感染症の侵襲もあって、感染症は今なお人類に脅威を与えている。また、これらの病原体の変異や耐性化により世界的な大流行も危惧される。中でも、鳥インフルエンザをはじめ、ＳＡＲＳ、ＭＲＳＡ感染症、エイズ、ノロウイルス感染症など様々な感染症が社会問題となっており、世界的に感染症に対する関心が高まっている。特に、アジアを中心に拡大しているＨ５Ｎ１亜型トリインフルエンザにおいては人体への感染が確認され、世界的な流行が懸念されている。病原体の検査については、検査室で微生物学的手段によって検出・解析がされており、全国に約７０ある地方衛生研究所がこの疫学情報のための病原体検査を行っている。
【０００６】
しかしながら、病原体検出は人手、経費、時間がかかり、全ての患者について検査を行うことができないのが実態である。また、現在臨床検査や衛生検査において使用される装置は高額であり、専門的な知識なくして簡便に扱うことができない。つまり、現在の感染症病原体の検査としてＥＬＩＳＡ法やＰＣＲ法などが用いられているが、いずれも装置は高額であり、取り扱いに専門的な知識や熟練を要し、結果を得るまでに時間がかかること、装置が大型で大掛かりであることから持ち運びすることができず、現場での測定には不向きという問題があった。また、乾燥下での使用には、不向きという問題があった。
【０００７】
また上述の通り、ＳＰＲ法用センサーチップを用いたバイオセンシングについて多くの提案がなされているにも関わらず、たとえば１つの検体と１つの流路のみによって検出可能なセンサーチップなど、複数の感染症病原体を一斉に、効率よく検出できるセンサーチップは未だに存在しない。
【０００８】
同じく特許文献２のように、自己組織化膜の構造を改良した提案はあるものの、自己組織化膜以外の部分における非特異吸着を制御、防止する技術は、未だに提案されていない。
【０００９】
さらに、感染症病原体を検出するためのセンサーチップは乾燥に弱く、容易に失活しやすいことから、従来は水溶液での保管が必要であり、煩雑、不便、非効率的であった。
【００１０】
一方、たとえばインフルエンザ検査用としては、インフルエンザ簡易迅速診断キットがある。しかし、判定可能な種類はＡ型／Ｂ型の判別に留まり、亜型の特定は不可能であり、実用性や能力には限界がある。
【００１１】
本発明の課題は、このような従来の問題点を解決するために、持ち運び可能で現場でのリアルタイムな測定が可能であるＳＰＲ検出装置を用いて、このような装置に用いるための、微小領域におけるセンシングに適し、高感度で作製方法が簡便であり、かつ乾燥下でも使用が可能な、感染症病原体その他の抗原検出用センサーチップとその作製方法を提供することである。また、持ち運び可能で現場でのリアルタイムな測定が可能であるＳＰＲ検出装置および当該センサーチップにより構成される抗原検出用センサーを提供することである。
【００１２】
また本発明の課題は、たとえば１つの検体と１つの流路のみによって行える等、複数の感染症病原体等の抗原を一斉に効率的に検出可能な、抗原検出用センサーチップ、その作製方法および抗原検出用センサーを提供することである。
【００１３】
また本発明の課題は、自己組織化膜以外の部分における非特異吸着を制御可能な、抗原検出用センサーチップ、その作製方法および抗原検出用センサーを提供することである。
【課題を解決するための手段】
【００１４】
本願発明者が上記課題を解決するために検討した結果、本発明に至った。すなわち本願において特許請求される発明、もしくは少なくとも開示される発明は次のとおりである。
（１）  基板と、該基板上に設けられた抗体固定化サイトとを備えてなる抗原検出用センサーチップであって、該抗体固定化サイトは、該基板上に設けられた金属膜と、該金属膜上に設けられた自己組織化膜と、該自己組織化膜上に設けられた抗体とからなり、該抗体固定化サイトには該抗体の立体構造を保持可能ならしめる保水膜が設けられている、抗原検出用センサーチップ。
（２）  前記保水膜には保水性のある糖類が用いられることを特徴とする（１）に記載の抗原検出用センサーチップ。
（３）  前記抗体固定化サイトは二以上設けられ、各抗体固定化サイトに固定化された抗体はそれぞれ異なることを特徴とする、（１）または（２）に記載の抗原検出用センサーチップ。
（４）  検出対象の抗原は病原体であり、かつウイルス、バクテリアまたは抗原タンパクのいずれかであることを特徴とする、（１）ないし（３）のいずれかに記載の抗原検出用センサーチップ。
（５）  検出対象の抗原はインフルエンザウイルスであり、前記抗体はインフルエンザウイルスのヘマグルチニン（ＨＡ）に対する抗体であることを特徴とする、（１）ないし（４）のいずれかに記載の抗原検出用センサーチップ。
（６）  （１）ないし（５）のいずれかに記載の抗原検出用センサーチップをセット可能な、抗原検出用センサー。
（７）  基板上に抗体固定化サイトを形成して抗原検出用センサーチップを作製する方法であって、該基板上に必要な該抗体固定化サイトの数に基づき金属膜を形成し、その上に自己組織化膜を形成し、その上に予め活性化させた抗体溶液を用いて抗体を固定化し、一方該基板上において該抗体が固定化されていない未修飾サイトに保水性物質による保水膜を設ける、抗原検出用センサーチップの作製方法。
【００１５】
つまり本発明は、下記のような特徴を備えた抗原検出用センサーチップを提供することができる。
〈１〉抗体および糖鎖類を用いることで特異的にウイルス、バクテリア、抗原タンパクを検出できるマルチチャンネル型センサーチップ。
〈２〉１つの検体と１つの流路で複数の感染症病原体に対して一斉に検査を行えるマルチチャンネル型センサーチップ。
〈３〉鋳型とパターニングされた金基板を用いた作製方法と活性化試薬の最適化により、作製時間が短く、クリーンベンチや超純水などを用いなくても簡易に作製可能なセンサーチップ。
〈４〉新たなブロッキング剤と使用条件の最適化により良好なブロッキングとバックグランドの低下が可能で、抗原抗体反応における非特異吸着の防止を可能にしたセンサーチップ。
〈５〉保水膜の導入により気相中において抗体の乾燥による失活を防ぐことのできるセンサーチップ。
〈６〉基板上の未修飾サイトに保水性のある糖類等を吸着させることにより乾燥条件下での使用を可能としたセンサーチップ。
〈７〉圧電素子等を有するノズルを用いて作製することで、微量の抗体の固定化が可能なセンサーチップ。
【発明の効果】
【００１６】
本発明の抗原検出用センサーチップ、その作製方法および抗原検出用センサーは上述のように構成されるため、これらによれば種々の効果がある。まず、本発明の抗原検出用センサーチップによれば、持ち運び可能で現場でのリアルタイムな測定が可能であるＳＰＲ検出装置（抗原検出用センサー）に使用することができ、微小領域におけるセンシングも容易に可能、しかも反応特性が正確であり、高感度である。また、作製方法も簡便である。さらに、乾燥下でも使用可能である。
【００１７】
また、本発明の抗原検出用センサーチップによれば、たとえばマルチチャンネル型とすることによって、あるいは１つの検体と１つの流路のみによって検出作業を行える等の構成によって、複数の感染症病原体等の抗原を一斉に効率的に検出することが可能であり、感染症の場合はその迅速な診断、治療に貢献できる。また、自己組織化膜以外の部分における非特異吸着を低減ないしは防止することができ、一層高感度検出が可能である。
【００１８】
また、本発明の抗原検出用センサーチップは、微量の抗体の固定化と活性化試薬の最適化により作製時間を短くできることから低コストに作製できる。また、本発明の抗原検出用センサーは、持ち運び可能で現場でのリアルタイムな、かつ詳細な測定が可能である。特に、センサーチップにレンズを形成した場合には、センサーチップをセンサー本体にセットする操作は一層簡便になる。
【００１９】
また本発明によれば、検出対象の抗原に対する抗体を一または複数固定することで、用途に合わせてセンサーチップを作製、提供することが容易にできる。もちろん感染症のウイルス等病原体だけではなく、たとえば食品や畜産といった分野における用途にも対応可能である。
【００２０】
殊にインフルエンザウイルスの場合は、インフルエンザウイルスのヘマグルチニン（ＨＡ）に対する抗体を用いることで選択性を持たせ、インフルエンザの亜型を簡易かつ迅速に識別することが可能であり、適切な診断と治療が可能となる。
【発明を実施するための最良の形態】
【００２１】
本発明について、より詳細に説明する。
まず、本発明のセンサーチップを用いる測定方であるＳＰＲ法について簡単に説明する。
プリズム上に形成した金属薄膜に光を全反射角以上の角度で入射させると、ある角度で反射光が著しく減少する。この角度は、金属薄膜表面近傍の媒質の屈折率に依存する。そこで金属薄膜上に抗体を固定した状態にすると、抗原が抗体に吸着されるに従い共鳴角度（反射光が著しく減少する角度）が変化する。それに基づき抗原の有無を検出する、というものである。
【００２２】
図１は、本発明の抗原検出用センサーチップ（以下、単に「センサーチップ」ともいう。）の基本構成を示す断面説明図である。図示するように本センサーチップは、基板１と、基板１上に設けられた抗体固定化サイトとを備えてなる抗原検出用センサーチップであって、抗体固定化サイトは、基板１上に設けられた金属膜２と、金属膜２上に設けられた自己組織化膜３と、自己組織化膜３上に設けられた抗体４、５等とから、基本的に構成される。
【００２３】
抗体固定化サイトは二以上設けられ、各抗体固定化サイトに固定化された抗体４、５等はそれぞれ異なったものとすることができる。特に、抗体固定化サイトは三以上設けることとして、一つはブランク用（たとえば４）、残りは検出対象である特定の抗原の抗体（たとえば５、６等）とすることもできる。
【００２４】
金属膜２上で抗体４、５等が固定化されていないサイトのブロッキングのため、ＤＬＣ（ダイアモンド・ライク・カーボン）によるコーティングを行うこととしてもよい。また、図示しないが、基板２の下側には、表面プラズモン共鳴角検出のための測定用のレンズを設けた構成としてもよい。本発明のセンサーチップは、いわばバッチタイプであるが、センサーチップをレンズ一体型とすることで、センサーチップを抗原検出用センサーにセットして検出、測定を行う際の操作性を、格段に向上させることができる。
【００２５】
本発明の抗原検出用センサーチップは、病原体、ウイルス、バクテリア、抗原タンパクその他に広く適用でき、検出対象抗原を限定するものではない。実施例に詳述するようにインフルエンザウイルスを検出対象の抗原とする場合、抗体はインフルエンザウイルスのヘマグルチニン（ＨＡ）に対する抗体とすることができる。
【００２６】
このように、センサーチップを構成するガラス基板の上面には、金または銀等の金属薄膜が形成される。これは、任意の膜厚（５〜５０ｎｍ）で形成される。たとえば金属薄膜部分は、φ２ｎｍ以下のドットつまり微粒子であり、数ｎｍ程度の大きさでもよい。１枚の基板上に、少なくとも２箇所以上の金属薄膜部分を備え、かつ図１により説明した構成を備えることによって、複数種類の抗原を同時に検出可能なマルチチャンネル型センサーチップとすることができる。
【００２７】
特にインフルエンザウイルス検出用のマルチチャンネル型センサーチップの場合、その型別（Ａ、Ｂ、Ｃ）または亜型別（Ｈ１〜Ｈ１６）のチャンネルを同一基板上に設けることによって、インフルエンザの詳細分析を一斉に行なうことができる。また、センシングのチャンネルには、感染症を検知し得る抗体、たとえば、各種インフルエンザ、ノロウイルス、結核菌、ＭＲＳＡなどの多種の抗体を固定化が可能であり、検出の対象物が異なるセンサーチップを提供することができる。
【００２８】
ガラス基板上の金属薄膜は蒸着法、または規則的に金ナノ粒子を配列させる方法で形成することができる。後者は金属ナノ粒子の量子サイズ効果により、数百倍〜数千倍にセンサーチップの感度を向上させる。
【００２９】
以下の各説明は最良の実施形態の一つであり、本発明がこれらに限定されるものではない。金属薄膜上に反応物質つまり抗体を結合するために、まず、自己組織化膜（以下、ＳＡＭという）を形成する。ＳＡＭの形成に使用する化合物はチオール分子が適しており、好ましくはカルボキシル基またはアミノ基を有するチオール化合物がよい。ＳＡＭ形成条件はチオール化合物０．００１〜１．０Ｍの濃度で使用することが好ましい。
【００３０】
ＳＡＭ上に結合する抗体の活性化を行なう。固定化する抗体と１−エチル３−３−ジメチルアミノプロピルカルボジイミド塩酸基（以下、ＥＤＣという）０．２Ｍ、Ｎ−ヒドロキシスクシンイミド（ＮＨＳ）０．０５Ｍを１時間室温で転倒混和する。抗体の末端カルボキシル基または末端アミノ基は活性化され、ＳＡＭに配列しているカルボキシル基またはアミノ基と化学結合する。
【００３１】
ここで使用する抗体は、基準としてラットのノーマルなＩｇＧを固定化する。センシングのチャンネルには、感染症を検知し得る抗体、たとえば、各種インフルエンザ、ノロウイルス、結核菌、ＭＲＳＡなどの多種の抗体を固定化できる。特にインフルエンザにおいては各種型別（Ａ、Ｂ、Ｃ）、ヘマグルチニン（ＨＡ）の亜型別（Ｈ１〜Ｈ１６）チャンネルを設けることにより、インフルエンザウイルスの詳細な情報を一挙に得ることができる。さらに、固定化する抗体としては、感染症のみならず食品、畜産関係に追随するものも使用可能である。
【００３２】
活性化した抗体を金属薄膜上のＳＡＭに滴下し、２時間室温で反応させる。その後、未反応の抗体を洗浄し、グリシンまたはエタノールアミンでＳＡＭ上の未反応末端カルボキシル基または末端アミノ基を不活性化させる。グリシンを用いる際はＥＤＣとＮＨＳで活性化することが好ましい。
【００３３】
抗体の固定化されていない金属基板上のサイトすなわち未修飾サイトを乳タンパク質から調製したブロッキング剤によりブロッキングし、抗原抗体反応における非特異吸着を防ぐことができる。なお、未修飾サイトのブロッキング剤として従来用いられている牛血清アルブミンやスキムミルクは処理が面倒であるが、ＤＬＣコートを用いればより便利である。
【００３４】
保水膜の導入と形態
前述の方法で作製したセンサーチップは、４℃、ＰＢＳ（ｐｈｏｓｐａｔｅ−ｂｕｆｆｅｒｅｄ  ｓａｌｌｉｎｅ）中で保存し、乾燥を避ける。しかしながら本発明では、このセンサーチップに保水膜を導入することによって、従来の乾燥に弱いという弱点を克服することができる。
【００３５】
図２は、保水膜を導入した本発明の抗原検出用センサーチップの基本構成を示す断面説明図である。図示するように本センサーチップは、基板１と、該基板１上に設けられた抗体固定化サイトとを備えてなり、該抗体固定化サイトは、該基板１上に設けられた金属膜と、該金属膜上に設けられた自己組織化膜と、該自己組織化膜上に設けられた抗体４、５等とからなり、該抗体固定化サイトには該抗体の立体構造を保持可能ならしめる保水膜８が設けられていることを、主たる構成とする。図中、一つの抗体に符号４、５、６を付しているのは、同一の図形で示される抗体はそれぞれ相違してもよいことを示すものである。
【００３６】
かかる構成により、水分子７が保水膜によって抗体４、５等の間に保持されて、抗体４、５等は立体構造を保つことができるため、その機能を維持することができる。つまり、保水性のある糖類の分子が水分子を周りに強く引き付け、分子集合体を形成し、抗体周辺に保水膜が形成される。これにより、存在する水分子が抗体を水和により安定化し、失活を防ぎ、乾燥条件下での使用が可能となる。また、凍結乾燥法での保存も実施できる。
【００３７】
保水膜８としては、保水性のある糖類を用いることができる。つまり保水膜８は、基板の未修飾サイトもしくはアミンチオールの未反応部分に水分子を直接結合可能な糖類、または保水性のある糖類を結合させて、設けることができる。保水性のある糖類としては、たとえば、トレハロースなどの保水能力が高いものを好適に用いることができる。
【００３８】
保水膜導入の効果としては、センサーチップ保存方法の簡便化の他に、大気中での使用が可能となることも挙げられる。これにより、大気中の病原体のセンシングも行うことができる。
【００３９】
抗体の固定化操作方法
抗体の固定化操作としては、圧電素子等を有するノズルを用いて、数ｐＬ〜数μＬの液滴を基板上に塗布し、その後、光を照射することにより、短時間でアナライトもしくはリガンドとなる抗体等の固定が成される。ノズルを複数同時に使用すれば一度に複数種の抗体等を、任意のパターンで規則正しく、かつ、等間隔で固定化することが可能である。
【００４０】
センサーチップの抗原抗体反応の測定（評価方法）
前述の方法で作製したセンサーチップ上の抗体量および反応性評価は、落射型蛍光顕微鏡を用いて測定できる。検出目的の抗体をＦＩＴＣ標識抗体と反応させ、５２５ｎｍの蛍光を観察する。蛍光強度、分布などから抗体の定性定量を行うことができる。また、蛍光基質（たとえば、市販品のＡｍｐｌｅｘ  Ｒｅｄ）を利用して、レゾルフィンの検出による蛍光評価を行うことができる。レゾルフィンは非常に強い蛍光を発するため、検出感度が高く、ＦＩＴＣを使用した際に見られる退色が生じにくい。これらの評価方法はバッチ式で確認でき、専用のセルやフロー用シリンジポンプ等を必要としない。
【００４１】
図３は、３チャンネルのセンサーチップを各チャンネル毎に切断し専用セルに入れ、蛍光基質（Ａｍｐｌｅｘ  Ｒｅｄ）０．０５ｍＭ、Ｈ２Ｏ２１ｍＭを同量添加して測定した固定化評価結果の一例を示すグラフである。また、
図４は、３チャンネルのセンサーチップとＨ１Ｎ１抗原を反応させ、反応後の未反応抗体を蛍光基質（Ａｍｐｌｅｘ  Ｒｅｄ）で検出し測定した活性化評価結果の一例を示すグラフである。
【産業上の利用可能性】
【００４２】
本発明の抗原検出用センサーチップは、ＳＰＲ法用の特定な装置で使用する以外にも、センサーチップに発色する試薬を直接塗布することにより簡易判断することも可能である。また、対象物を増やすことにより単体あるいは多種の抗体を目的・コストに応じて選択できることから、応用範囲は広範である。もちろん、上述したように、病原体検出用途のみならず、食品や畜産分野など他分野における抗原検出にも用いることができる。したがって、産業上利用性が極めて高い発明である。
【図面の簡単な説明】
【００４３】
【図１】本発明の抗原検出用センサーチップの基本構成を示す断面説明図である。
【図２】保水膜を導入した本発明の抗原検出用センサーチップの基本構成を示す断面説明図である。
【図３】３チャンネルのセンサーチップを各チャンネル毎に切断し専用セルに入れ、所定方法で測定した固定化評価結果の一例を示すグラフである。
【図４】３チャンネルのセンサーチップとＨ１Ｎ１抗原を反応させ、所定方法で測定した活性化評価結果の一例を示すグラフである。
【符号の説明】
【００４４】
１…基板
２…金属膜
３…自己組織化膜
４、５、６…抗体
７…水分子
８…保水性のある糖類による保水膜
【図１】
2008309783.tif 000003
【図２】
2008309783.tif 000004
【図３】
2008309783.tif 000005
【図４】
2008309783.tif 000006